(57)【要約】【課題】本発明はプラズマディスプレイパネルの駆動時において、電極ライン間の輝度差を低減することができ、低価格でプラズマディスプレイパネルを駆動することができ、プラズマディスプレイパネルの駆動時において、安定したサステイン放電を具現することができるプラズマディスプレイ装置の駆動方法を提供する。【解決手段】プラズマディスプレイ装置の駆動方法は、一つのサブフィールドを少なくともアドレス期間及びサステイン期間に分割して駆動するプラズマディスプレイ装置の駆動方法であって、サステイン期間の間、第１電極に正極性方向の第１パルスと負極性方向の第２パルスを交互に印加して、サステイン期間の間、第２電極にバイアス電圧を印加して、正極性方向の第１パルスの上昇期間は負極性方向の第２パルスの上昇期間より短くする。【選択図】図１
2007316646.tif 000002
【特許請求の範囲】
【請求項１】
一つのサブフィールドを少なくともアドレス期間及びサステイン期間に分割して駆動するプラズマディスプレイ装置の駆動方法において、
前記サステイン期間の間、第１電極に正極性方向の第１パルスと負極性方向の第２パルスを交互に印加して、
前記第１電極に正極性方向の第１パルスと負極性方向の第２パルスを印加する間、第２電極を基準電圧に維持して、
前記正極性方向の第１パルスの上昇期間は、前記負極性方向の第２パルスの下降期間より短くすることを特徴とするプラズマディスプレイ装置の駆動方法。
【請求項２】
前記第１パルスの上昇期間は３００ｎｓ以上１ｍｓ以下であることを特徴とする、請求項１記載のプラズマディスプレイ装置の駆動方法。
【請求項３】
前記第１パルスの上昇期間と前記第２パルスの下降期間の比は１：１．２以上１：１．５以下であることを特徴とする、請求項１記載のプラズマディスプレイ装置の駆動方法。
【請求項４】
前記サステイン期間に第３電極に正極性パルスを印加することを特徴とする、請求項１記載のプラズマディスプレイ装置の駆動方法。
【請求項５】
前記正極性パルスは、前記第１電極に正極性方向の第１パルスが印加される間、前記第３電極に印加されることを特徴とする、請求項４記載のプラズマディスプレイ装置の駆動方法。
【請求項６】
前記正極性パルスの電圧は、前記アドレス期間に前記第３電極に印加されるデータパルスの電圧と実質的に同一であることを特徴とする、請求項４記載のプラズマディスプレイ装置の駆動方法。
【請求項７】
前記基準電圧はグラウンドレベルであることを特徴とする、請求項１記載のプラズマディスプレイ装置の駆動方法。
【請求項８】
一つのサブフィールドを少なくともアドレス期間及びサステイン期間に分割して駆動するプラズマディスプレイ装置の駆動方法において、
前記サステイン期間の間、第１電極に正極性方向の第１パルスと負極性方向の第２パルスを交互に印加して、
前記第１電極に正極性方向の第１パルスと負極性方向の第２パルスが印加される間、第２電極を基準電圧に維持して、
前記正極性方向の第１パルスのバイアス期間は、前記負極性方向の第２パルスのバイアス期間より短くすることを特徴とする、プラズマディスプレイ装置の駆動方法。
【請求項９】
前記第１パルスのバイアス期間は５００ｎｓ以上２ｍｓ以下であることを特徴とする、請求項８記載のプラズマディスプレイ装置の駆動方法。
【請求項１０】
前記第１パルスのバイアス期間と前記第２パルスのバイアス期間の比は１：１．３以上１：１．８以下であることを特徴とする、請求項８記載のプラズマディスプレイ装置の駆動方法。
【請求項１１】
前記サステイン期間に第３電極に正極性パルスを印加することを特徴とする、請求項８記載のプラズマディスプレイ装置の駆動方法。
【請求項１２】
前記正極性パルスは、前記第１電極に正極性方向の第１パルスが印加される間、前記第３電極に印加されることを特徴とする、請求項１１記載のプラズマディスプレイ装置の駆動方法。
【請求項１３】
前記正極性パルスの電圧は、前記アドレス期間に前記第３電極に印加されるデータパルスの電圧と実質的に同一であることを特徴とする、請求項１１記載のプラズマディスプレイ装置の駆動方法。
【請求項１４】
前記基準電圧はグラウンドレベルであることを特徴とする、請求項８記載のプラズマディスプレイ装置の駆動方法。
【請求項１５】
一つのサブフィールドを少なくともアドレス期間及びサステイン期間に分割して駆動するプラズマディスプレイ装置の駆動方法において、
前記サステイン期間の間、第１電極に正極性方向の第１パルスと負極性方向の第２パルスを交互に印加して、
前記第１電極に正極性方向の第１パルスと負極性方向の第２パルスが印加される間、第２電極を基準電圧に維持して、
前記正極性方向の第１パルスの上昇期間は前記負極性方向の第２パルスの上昇期間より短くして、
前記正極性方向の第１パルスのバイアス期間は前記負極性方向の第２パルスのバイアス期間より短くすることを特徴とする、プラズマディスプレイ装置の駆動方法。
【請求項１６】
前記第１パルスの上昇期間は３００ｎｓ以上１ｍｓ以下であることを特徴とする、請求項１５記載のプラズマディスプレイ装置の駆動方法。
【請求項１７】
前記第１パルスの上昇期間と前記第２パルスの下降期間の比は１：１．２以上１：１．５以下であることを特徴とする、請求項１５記載のプラズマディスプレイ装置の駆動方法。
【請求項１８】
前記第１パルスのバイアス期間は５００ｎｓ以上２ｍｓ以下であることを特徴とする、請求項１５記載のプラズマディスプレイ装置の駆動方法。
【請求項１９】
前記第１パルスのバイアス期間と前記第２パルスのバイアス期間の比は１：１．３以上１：１．８以下であることを特徴とする、請求項１５記載のプラズマディスプレイ装置の駆動方法。
【請求項２０】
前記サステイン期間に第３電極に正極性パルスを印加することを特徴とする、請求項１５記載のプラズマディスプレイ装置の駆動方法。
【請求項２１】
前記正極性パルスは、前記第１電極に正極性方向の第１パルスが印加される間、前記第３電極に印加されることを特徴とする、請求項２０記載のプラズマディスプレイ装置の駆動方法。
【請求項２２】
前記正極性パルスの電圧は、前記アドレス期間に前記第３電極に印加されるデータパルスの電圧と実質的に同一であることを特徴とする、請求項２０記載のプラズマディスプレイ装置の駆動方法。
【請求項２３】
前記基準電圧はグラウンドレベルであることを特徴とする、請求項１５記載のプラズマディスプレイ装置の駆動方法。
【発明の詳細な説明】
【技術分野】
【０００１】
本発明はプラズマディスプレイ装置の駆動方法に関する。
【背景技術】
【０００２】
一般的にプラズマディスプレイ装置は画像を表示するプラズマディスプレイパネルとプラズマディスプレイパネルを駆動させるための駆動部がプラズマディスプレイパネルの背面に附着して形成される。
【０００３】
プラズマディスプレイパネルは、互いに一定間隔で離隔された前面基板と背面基板、前面基板と背面基板の間に複数の放電セルを形成する隔壁を含み、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充電されている。このような放電セルは赤色（Ｒｅｄ、Ｒ）放電セル、緑色(Ｇｒｅｅｎ、Ｇ) 放電セル、青色（Ｂｌｕｅ、Ｂ）放電セルが集まって一つのピクセルを成す。
【０００４】
また、プラズマディスプレイパネルが高周波パルスによって放電される時、不活性ガスは真空紫外線（Ｖａｃｕｕｍ  Ｕｌｔｒａｖｉｏｌｅｔ  ｒａｙｓ）を発生して隔壁の間に形成された蛍光体を発光させることにより画像が具現される。
【０００５】
プラズマディスプレイパネルは、複数の電極、例えばスキャン電極（Ｙ）、サステイン電極（Ｚ）、アドレス電極（Ｘ）を含み、このようなプラズマディスプレイパネルの電極に駆動電圧を供給するための駆動部がそれぞれの電極に接続される。
【０００６】
各駆動部は、プラズマディスプレイパネルの駆動時において、所定期間、例えばリセット期間、アドレス期間、サステイン期間にリセットパルス、スキャンパルス、サステインパルスのような駆動パルスをプラズマディスプレイパネルの電極に供給して放電セルを発光させる。
【０００７】
このようなプラズマディスプレイ装置は薄く軽い構成が可能であるので、現在表示装置として脚光を浴びている。
【発明の開示】
【発明が解決しようとする課題】
【０００８】
本発明の目的は、プラズマディスプレイパネルの駆動時において、電極ライン間の輝度差を低減することができるプラズマディスプレイ装置の駆動方法を提供することにある。
【０００９】
本発明の他の目的は、低価格でプラズマディスプレイパネルを駆動することができるプラズマディスプレイ装置の駆動方法を提供することにある。
【００１０】
あるいは、本発明の他の目的は、プラズマディスプレイパネルの駆動時において、安定したサステイン放電を具現することができるプラズマディスプレイ装置の駆動方法を提供することにある。
【課題を解決するための手段】
【００１１】
本発明に係るプラズマディスプレイ装置の駆動方法は、一つのサブフィールドを少なくともアドレス期間及びサステイン期間に分割して駆動するプラズマディスプレイ装置の駆動方法であって、サステイン期間の間、第１電極に正極性方向の第１パルスと負極性方向の第２パルスを交互に印加して、第１電極に正極性方向の第１パルスと負極性方向の第２パルスを印加する間、第２電極を基準電圧を維持して、正極性方向の第１パルスの上昇期間は負極性方向の第２パルスの下降期間より短いことを特徴とする。
【００１２】
第１パルスの上昇期間は３００ｎｓ以上１ｍｓ以下であることが好ましい。
【００１３】
第１パルスの上昇期間と前記第２パルスの下降期間の比は１：１．２以上１：１．５以下であることが好ましい。
【００１４】
サステイン期間に第３電極に正極性パルスを印加することが好ましい。
【００１５】
正極性パルスは、前記第１電極に正極性方向の第１パルスが印加される間、第３電極に印加されることが好ましい。
【００１６】
本発明に係るプラズマディスプレイ装置の駆動方法は、サステイン期間の内、第１電極に正極性方向の第１パルスと負極性方向の第２パルスを交互に印加して、第１電極に正極性方向の第１パルスと負極性方向の第２パルスが印加される間、第２電極は基準電圧を維持して、正極性方向の第１パルスのバイアス期間は負極性方向の第２パルスのバイアス期間より短くすることを特徴とする。
【００１７】
第１パルスのバイアス期間は５００ｎｓ以上２ｍｓ以下であることが好ましい。
【００１８】
第１パルスのバイアス期間と第２パルスのバイアス期間の比は１：１．３以上１：１．８以下であることが好ましい。
【００１９】
サステイン期間に第３電極に正極性パルスを印加することが好ましい。
【００２０】
正極性パルスは、第１電極に正極性方向の第１パルスが印加される間、前記第３電極に印加されることが好ましい。
【００２１】
本発明に係るプラズマディスプレイ装置の駆動方法は、一つのサブフィールドを少なくともアドレス期間及びサステイン期間に分割して駆動するプラズマディスプレイ装置の駆動方法であって、サステイン期間の間、第１電極に正極性方向の第１パルスと負極性方向の第２パルスを交互に印加して、第１電極に正極性方向の第１パルスと負極性方向の第２パルスが印加される間、第２電極を基準電圧に維持して、正極性方向の第１パルスの上昇期間は前記負極性方向の第２パルスの上昇期間より短くして、正極性方向の第１パルスのバイアス期間は前記負極性方向の第２パルスのバイアス期間より短くすることを特徴とする。
【発明の効果】
【００２２】
本発明によると、プラズマディスプレイパネルの駆動時において、電極ライン間の輝度差を低減することができたり、あるいは、プラズマディスプレイパネルを駆動させるための駆動回路の費用を節減させることができる。
【発明を実施するための最良の形態】
【００２３】
以下、本発明に係る具体的な実施形態を図面を参照して説明する。
【００２４】
図１は本発明の実施形態に係るプラズマディスプレイ装置を概略的に示す図である。
【００２５】
図１を参照すれば、本発明の実施形態に係るプラズマディスプレイ装置は、プラズマディスプレイパネル５０、プラズマディスプレイパネルを駆動するためのアドレス駆動部５２、スキャン駆動部５４、タイミング制御部５６及び駆動電圧発生部５８を含む。
【００２６】
プラズマディスプレイパネル５０は、行方向に配列されている第１電極（Ｙ１乃至Ｙｎ）(以下、スキャン電極とする)、第２電極（Ｚ１乃至Ｚｎ）(以下、サステイン電極とする)及び列方向に配列されている多数の第３電極（Ｘ１乃至Ｘｍ）(以下、アドレス電極とする)を含む。
【００２７】
アドレス駆動部５２は、タイミング制御部５６から供給されるデータクロック（ＤＣＬＫ）及び第２スイッチング制御信号（ＳＣＳ２）によって制御され、外部から供給される映像データ（ｄａｔａ）をアドレス電極（Ｘ１乃至Ｘｍ）に供給する。
【００２８】
スキャン駆動部５４は、タイミング制御部５６から供給される第１スイッチング制御信号（ＳＣＳ１）によってリセットパルス及びスキャンパルスをスキャン電極（Ｙ１乃至Ｙｎ）に供給する。また、スキャン駆動部５４は、常にバイアス電圧、望ましくは基底電圧（ＧＮＤ）をサステイン電極（Ｚ１乃至Ｚｎ）に供給し、サステイン放電を起こすために正極性方向のサステインパルス(以下、第１パルスとする)と負極性方向のサステインパルス(以下、第２パルスとする)を交互にスキャン電極（Ｙ１乃至Ｙｎ）に供給する。
【００２９】
プラズマディスプレイパネル５０に設置されたサステイン電極（Ｚ１乃至Ｚｎ）は、基底電圧源（ＧＮＤ）に接続される。すなわち、サステイン電極を駆動するための駆動部は存在しない。したがって、プラズマディスプレイ装置の製造費用を低減することができる。勿論、プラズマディスプレイ装置はサステイン電極を駆動するための駆動部を含み、サステイン電極に所定のバイアス電圧を印加してもよいし、サステイン電極がグラウンドレベルを維持してもよい。
【００３０】
駆動電圧発生部５８は、所定の駆動波形を生成可能にするために多様な駆動電圧を生成して、アドレス駆動部５２及びスキャン駆動部５４に供給する。
【００３１】
タイミング制御部５６は、所定の駆動波形を生成可能にするために多様なスイッチング制御信号を生成して、アドレス駆動部５２及びスキャン駆動部５４に供給する。例えば、タイミング制御部５６は、第１スイッチング制御信号（ＳＣＳ１）を生成して、スキャン駆動部５４に供給する。そして、タイミング制御部５６は、第２スイッチング制御信号（ＳＣＳ２）及びデータクロック（ＤＣＬＫ）を生成して、アドレス駆動部５２に供給する。
【００３２】
図２は本発明の実施形態に係るプラズマディスプレイパネルに印加される駆動波形を示す図である。
【００３３】
図示されているように、プラズマディスプレイ装置の駆動方法は、一つのサブフィールドをプラズマディスプレイパネル５０のすべてのセルを初期化させるためのリセット期間、放電するセルを選択するためのアドレス期間、選択されたセルの放電を維持するためのサステイン期間に分割して、それぞれの電極（Ｘ１乃至Ｘｍ、Ｙ１乃至Ｙｎ、Ｚ１乃至Ｚｎ）に駆動パルスを印加することにより画像を表現する。
【００３４】
リセット期間において、セットアップ期間では、プラズマディスプレイパネル５０のスキャン電極（Ｙ１乃至Ｙｎ）にセットアップ（ｓｅｔ−ｕｐ）パルスが供給され、このセットアップ（ｓｅｔ−ｕｐ）パルスによってパネルの放電セル内には弱い暗放電（Ｗｅａｋ  Ｄｉｓｃｈａｒｇｅ）が起きる。以後、セットダウン期間では、サステイン電圧（Ｖｓ）レベルの電圧で特定電圧レベルまで落ちるセットダウン（Ｓｅｔ−ｄｏｗｎ）パルスがスキャン電極（Ｙ１乃至Ｙｎ）に供給される。したがって、セル内の正極性壁電荷と負極性壁電荷は、スキャン電極（Ｙ１乃至Ｙｎ）とアドレス電極（Ｘ１乃至Ｘｍ）の間に消去放電を起こすことで充分に消去される。
【００３５】
アドレス期間では、スキャン基準電圧（Ｖｓｃ）から立ち下がる負極性スキャンパルス（Ｓｐ）がスキャン電極（Ｙ１乃至Ｙｎ）に供給される。同時にアドレス電極（Ｘ１乃至Ｘｍ）には前述のスキャンパルスに対応する正極性のデータパルスが供給される。このようなスキャンパルスとデータパルスの電圧差とリセット期間に生成された壁電圧が加わりながら、データパルスが印加される放電セル内にはアドレス放電が発生される。アドレス放電によって選択された放電セル内には、サステイン電圧（Ｖｓ）が印加される時に放電が起きるようにする程度の壁電荷が形成される。
【００３６】
サステイン期間では、スキャン電極（Ｙ１乃至Ｙｎ）に第１パルスと第２パルスが交互に供給される。サステイン電極（Ｚ１乃至Ｚｎ）には基準電圧が供給されるが、サステイン電極（Ｚ１乃至Ｚｎ）はグラウンドレベルで維持されることが望ましい。
【００３７】
このようにサステイン電極を基準電圧で維持するようにすれば、サステイン電極を駆動するための駆動回路を減らすことができるので、製造費用を減らすことができる。
【００３８】
第１パルスは負極性電圧（−Ｖｓ）から正極性サステイン電圧（Ｖｓ）まで上昇した後、一定期間維持されるパルスであり、第２パルスは正極性サステイン電圧（Ｖｓ）から負極性電圧（−Ｖｓ）に立ち下がった後、一定期間維持されるパルスである。
【００３９】
第１パルスは、図３Ｂのように負極性電圧（−Ｖｓ）から正極性サステイン電圧（Ｖｓ）まで上昇する過程でグラウンドレベルで一定期間維持した後、サステイン電圧（Ｖｓ）で再び一定期間維持されるパルスであり、第２パルスは正極性サステイン電圧（Ｖｓ）から負極性電圧（−Ｖｓ）に立ち下がる過程でグラウンドレベルで一定期間維持した後、負極性電圧（−Ｖｓ）で再び一定期間維持されるパルスである。
【００４０】
これに対する詳細な説明は、後述する図３Ａ及び図３Ｂを参照して詳しく説明する。
【００４１】
また、図示されていないが、サステイン期間以後にはスキャン電極またはサステイン電極にサステイン放電後に蓄積された璧電荷を消去するための消去期間をさらに追加してもよい。
【００４２】
図３Ａ及び図３Ｂは、図２のサステイン期間にスキャン電極とサステイン電極に印加される駆動パルスの第１実施形態を詳しく説明するための図である。
【００４３】
図３Ａ及び図３Ｂを参照すれば、サステイン期間にスキャン電極には第１パルスと第２パルスが第１電極に交互に供給されて、サステイン電極はグラウンドレベルで維持される。
【００４４】
この場合、最初に負極性サステイン電圧（−Ｖｓ）から正極性サステイン電圧（Ｖｓ）まで上昇する第１パルスの上昇期間（Ｅ１）は、最初に正極性サステイン電圧（Ｖｓ）から負極性サステイン電圧（−Ｖｓ）まで立ち下がる第２パルスの立下り期間（Ｅ２）よりさらに短い。
【００４５】
第１パルスの上昇期間はプラズマディスプレイパネルの駆動特性によって異なるように設定してもよく、第１パルスの上昇時間が３００ｎｓ以上１ｍｓ以下の範囲を有する場合、プラズマディスプレイパネルの駆動特性を効率的に向上させることができる。
【００４６】
また、第１パルスの上昇期間と第２パルスの下降期間の比もプラズマディスプレイパネルの駆動特性によって異なるように設定してもよく、第１パルスの上昇期間と第２パルスの下降期間の比が１：１．２以上１：１．５以下の範囲を有する場合、プラズマディスプレイパネルの駆動マージンをさらに確保することができる。
【００４７】
前述した上昇期間（Ｅ１）あるいは立下り期間（Ｅ２）は該当パルスの勾配を示す。すなわち、第１パルスの勾配の絶対値が第２パルスの勾配の絶対値より大きいことを示す。
【００４８】
このように、第２パルスの立下り期間（Ｅ２）より短い上昇期間（Ｅ１）を有する第１パルスをスキャン電極に印加することで、電極ライン間の輝度差を補償することができる。
【００４９】
図４は図２のサステイン期間にスキャン電極とサステイン電極に印加される駆動パルスの第２実施形態を詳しく説明するための図である。
【００５０】
図４を参照すれば、サステイン期間において、スキャン電極には第１パルスと第２パルスが第１電極に交互に供給されて、スキャン電極に第１パルスと第２パルスが第１電極に交互に供給される間、サステイン電極は基準電圧で維持される。基準電圧はプラズマディスプレイパネルの駆動特性によって異なるように設定してもよく、基準電圧がグラウンドレベルに設定されることでサステイン電極を駆動するための駆動回路を減らすことができる。
【００５１】
この場合、第１パルスが正極性サステイン電圧（Ｖｓ）で維持されるバイアス期間（Ｄ１）は、第２パルスが負極性サステイン電圧（−Ｖｓ）で維持されるバイアス期間（Ｄ２）より短い。
【００５２】
第１パルスのバイアス期間（Ｄ１）はプラズマディスプレイパネルの駆動特性によって異なるように設定してもよく、第１パルスのバイアス期間（Ｄ１）が５００ｎｓ以上２ｍｓ以下の範囲を有することでプラズマディスプレイパネルの駆動特性を効率的に向上させることができる。
【００５３】
また、第１パルスのバイアス期間（Ｄ１）と第２パルスのバイアス期間（Ｄ２）の比もプラズマディスプレイパネルの駆動特性によって異なるように設定してもよく、第１パルスのバイアス期間と第２パルスのバイアス期間（Ｄ２）の比が１：１．３以上１：１.８以下の範囲を有することでプラズマディスプレイパネルの駆動マージンをさらに確保することができる。
【００５４】
このように、第２パルスのバイアス期間（Ｄ２）より短いバイアス期間（Ｄ１）を有する第１パルスをスキャン電極に印加することで電極ライン間の輝度差を補償することができる。
【００５５】
本発明の実施形態では、サステイン期間において、第１パルスと第２パルスはスキャン電極に交互に印加され、サステイン電極はグラウンドレベルで維持されるようになっているが、反対に第１パルスと第２パルスがサステイン電極に印加されて、スキャン電極がグラウンドレベルで維持されるようにしてもよい。
【００５６】
また、本発明の実施形態では、サステイン期間において、駆動パルスの上昇時間と下降時間を調節してスキャン電極に印加して、独立的に駆動パルスのバイアス期間を調節してスキャン電極に印加するようにしたが、駆動パルスの上昇時間と下降時間及びバイアス期間を同時に調節してスキャン電極に印加して、電極ライン間の輝度差やプラズマディスプレイパネルの駆動特性を向上させるようにしてもよい。
【００５７】
また、プラズマディスプレイパネルに配列された電極構造、例えば、スキャン電極−サステイン電極−スキャン電極−サステイン電極の配列構造（ＹＺＹＺ）だけでなく、スキャン電極−スキャン電極−サステイン電極−サステイン電極（ＹＹＺＺ）の配列構造に対しても、本発明に係る駆動パルスを各電極に印加することにより、本発明を適用することができる。
【００５８】
図５は本発明の他の実施形態に係るプラズマディスプレイパネルに印加される駆動波形を示す図である。
【００５９】
図５を参照すれば、本発明の他の実施形態に係るプラズマディスプレイパネルに印加される駆動波形は、図２で示した各期間、例えばリセット期間とアドレス期間にプラズマディスプレイパネルに印加される駆動波形と同一であるから、これに対する説明は略する。
【００６０】
なお、サステイン期間にはスキャン電極（Ｙ１乃至Ｙｎ）に第１パルスと第２パルスを交互に供給してもよいし、サステイン電極（Ｚ１乃至Ｚｎ）はグラウンドレベルで維持してもよい。この場合、アドレス電極（Ｘ１乃至Ｘｎ）は正極性パルス（Ｐｐ）が印加される。
【００６１】
サステイン期間において、スキャン電極に正極性サステイン電圧（Ｖｓ）の第１パルスと負極性サステイン電圧（−Ｖｓ）の第２パルスを交互に供給すれば、図６に示されているように、スキャン電極の周りで強い電場が形成される。このような強い電場（Ｅ）によって、スキャン電極とサステイン電極の間の面放電の代りに、スキャン電極とアドレス電極の間に対向放電が発生して、サステイン放電が不安定になる。
【００６２】
アドレス電極に正極性パルス（Ｐｐ）を印加すれば、前述したスキャン電極とアドレス電極間の対向放電を低減してサステイン放電を安定させることができる。この場合、正極性パルス（Ｐｐ）は、スキャン電極に第１パルスが印加される間、アドレス電極に印加される。これによって、スキャン電極とアドレス電極には同一極性の電場が形成され、スキャン電極とサステイン電極間の面放電を誘導することができるようになる。したがって、サステイン放電を安定させることができる。
【００６３】
図示されていないが、スキャン電極に第２パルスが印加される間、アドレス電極に負極性パルスが印加されるようにしてもよい。
【００６４】
前述した正極性パルスの電圧や負極性パルスの電圧の絶対値はサステイン電圧（Ｖｓ）より低いことが望ましいが、アドレス期間においてアドレス電極に印加されるデータパルスの電圧（Ｖａ）と実質的に同一してもよい。この場合、アドレスパルスを発生させる電圧源を共有することができる。
【図面の簡単な説明】
【００６５】
【図１】本発明の実施形態に係るプラズマディスプレイ装置を概略的に示す図。
【図２】本発明の実施形態に係るプラズマディスプレイパネルに印加される駆動波形を示す図。
【図３Ａ】図２のサステイン期間にスキャン電極とサステイン電極に印加される駆動パルスの一例を詳しく説明するための図。
【図３Ｂ】図２のサステイン期間にスキャン電極とサステイン電極に印加される駆動パルスの一例を詳しく説明するための図。
【図４】図２のサステイン期間にスキャン電極とサステイン電極に印加される駆動パルスの他の例を詳しく説明するための図。
【図５】本発明の他の実施形態に係るプラズマディスプレイパネルに印加される駆動波形を示す図。
【図６】本発明の駆動波形に係る各電極で示された電場の強さを示す図。
【図１】
2007316646.tif 000003
【図２】
2007316646.tif 000004
【図３Ａ】
2007316646.tif 000005
【図３Ｂ】
2007316646.tif 000006
【図４】
2007316646.tif 000007
【図５】
2007316646.tif 000008
【図６】
2007316646.tif 000009